【事件の表示】
　特願２０１２−　６８２１９「枚葉基材の切断装置」拒絶査定不服審判事件〔平成２５年１０月　３日出願公開、特開２０１３−１９９０３５〕について、次のとおり審決する。
【結　論】
　本件審判の請求は、成り立たない。
【理　由】
第１　手続の経緯　
　本願は、平成２４年３月２３日の出願であって、平成２８年１月２６日付けで手続補正がなされ、同年４月１５日付けで拒絶査定がなされ、これに対し、同年８月８日付けで拒絶査定に対する不服審判請求がなされ、その後、当審において、平成２９年５月１２日付けで拒絶の理由を通知したところ、これに対し、同年７月１２日付けで意見書及び手続補正書が提出されたものである。　
　
　
第２　本願発明　
　本願発明は、平成２９年７月１２日付けの手続補正書により補正された特許請求の範囲及び明細書の記載からみて、その特許請求の範囲に記載された次のとおりのものと認める。　
　「【請求項１】
　印刷済の枚葉基材を排出させる排出ローラと、
　排出ローラの下流側に設けられ枚葉基材の先端部と後端部の余白を切断して除去するカッタと、
　排出ローラおよびカッタの下方に配置され、枚葉基材からの切断カスを受けるカス受けと、
　排出ローラおよびカッタを駆動制御する制御装置とを備え、
　制御装置はカッタにより枚葉基材の後端部の余白を切断する際、排出ローラを正転させて枚葉基材を外方へ排出させ、後端部の余白の下流端がカッタに対応する位置にきたとき、排出ローラを停止してカッタを駆動させ後端部の余白を切断して除去し、その後排出ローラを逆転させて後端部の余白をカス受け内に落下させ、
　印刷済の枚葉基材には、一方の面と他方の面に互いに逆方向に両面印刷が施され、カッタは一方の面と他方の面に互いに逆方向に施される両面印刷により決定された枚葉基材の先端部の余白および後端部の余白を切断し、
　排出ローラの上流側に、底板と上板とを有する基材搬送路が設けられ、排出ローラと底板との間に切断された後端部の余白が通過する隙間が形成され、上板は底板から更に排出ローラ近傍まで延びていることを特徴とする枚葉基材の切断装置。
　　【請求項２】
　カス受けは、底壁と、前方壁と、後方壁と、一対の側壁とを有し、後方壁は上方に向って後方側へ傾斜することを特徴とする請求項１又は２記載の枚葉基材の切断装置。
　　【請求項３】
　印刷済の枚葉基材を排出させる排出ローラと、
　排出ローラの下流側に設けられ枚葉基材の先端部と後端部の余白を切断して除去するカッタと、
　排出ローラおよびカッタの下方に配置され、枚葉基材からの切断カスを受けるカス受けと、を備えた枚葉基材の切断装置を用いた枚葉基材の切断方法において、
　排出ローラを正転させて枚葉基材を外方へ排出させる工程と、
　枚葉基材のうち後端部の余白の下流端がカッタに対応する位置にきたとき排出ローラを停止してカッタを駆動させ後端部の余白を切断して除去する工程と、
　排出ローラを逆転させて後端部の余白をカス受け内に落下させる工程とを備え、　印刷済の枚葉基材には、一方の面と他方の面に互いに逆方向に両面印刷が施され、カッタは一方の面と他方の面に互いに逆方向に施される両面印刷により決定された枚葉基材の先端部の余白および後端部の余白を切断し、
　排出ローラの上流側に、底板と上板とを有する基材搬送路が設けられ、排出ローラと底板との間に切断された後端部の余白が通過する隙間が形成され、上板は底板から更に排出ローラ近傍まで延びていることを特徴とする枚葉基材の切断方法。
　　【請求項４】
　排出ローラを正転させて枚葉基材を外方へ排出させる工程の前に、枚葉基材のうち先端部の余白の上流端がカッタに対応する位置にきたとき、排出ローラを停止してカッタを駆動させ先端部の余白を切断して除去し、カス受け内に落下させることを特徴とする請求項３記載の枚葉基材の切断方法。」（以下、請求項１乃至請求項４にかかる各発明を、それぞれ、「本願発明１」乃至「本願発明４」といい、これらを総称して「本願発明」という。）　
　
　
第３　引用刊行物
（１）引用刊行物１
　当審の拒絶の理由に引用し、本願の出願日前である平成１０年５月１９日に頒布された刊行物である特開平１０−１２９０５５号公報（以下「引用刊行物１」という。）には、図面と共に次の事項が記載されている。
ア　「【０００１】
【発明の属する技術分野】本発明は、
画像を再現した後の記録紙の不要部分をカットする機能を備え、カットされた用紙片すなわち切り屑を貯えるごみ箱を備えた記録装置
イ　「【００１２】そこで、本発明は、
画像再現後の記録紙の不要部分をカットする機能を備えた記録装置であって、
もって長尺の記録紙にも画像を再現して排紙し得るようにしたコンパクトな記録装置を提供すること
ウ　「【００１９】熱転写記録装置１０の外装をなすハウジング１１の上面には蓋部材１２が揺動軸１２ａ（図２参照）を中心に開閉自在に取り付けられ、蓋部材１２を開放した状態でインクフィルムカセットがハウジング１１内の所定位置に装填される。図中左手前側が装置１０の前面となっており、この前面側に排紙部が設けられ、背面側に給紙部２１が設けられている。給紙部２１には、複数枚の記録紙を収納した給紙トレイ１４が傾斜して設けられている。また、この
熱転写記録装置１０内には、画像を再現した後の記録紙の不要部分（記録紙の先端部分および／または後端部分）をカットする用紙カッティング部が設けられており、カットされた切り屑を貯えるごみ箱２４が装置前面側に抜き差し自在に設けられている
エ　「【００３５】プラテンローラ２５の下流側には、記録紙１８を排紙トレイ１７上に排出するために、用紙排出口１６側に位置する第１排出ローラ対５３と、プラテンローラ２５側に位置する第２排出ローラ対５４とが所定距離を隔てて取り付けられている。…
【００３６】
プラテンローラ２５と排出ローラ対５３、５４との間には、排紙処理の際の記録紙１８の搬送を案内するガイド部材５５が設けられている
オ　「【００３８】前記ガイド部材５５の下側には、グリップローラ５０とピンチローラ５１により搬送される記録紙１８を、排出ローラ対５３、５４などが設けられている排紙部２２あるいは収容スペース５６のいずれか一方に選択的に導くために、可撓性素材より形成された揺動ガイド５８が支持軸５７を中心として揺動自在に設けられている。揺動ガイド５８を上方位置に揺動すると、グリップローラ５０などにより搬送される記録紙１８は収容スペース５６に収容される。一方、揺動ガイド５８を上方位置から下方位置まで支持軸５７を中心として時計回り方向に揺動すると、記録紙１８は排紙部２２に向けて搬送される。
【００３９】印字品位の向上のためには印字時に記録紙１８が排出ローラ対５３、５４に挟まれないようにする必要があるが、本実施の形態のように揺動ガイド５８を設けて排紙部２２に至る搬送経路の下方位置に収容スペース５６を形成するようにすれば、プラテンローラ２５と排出ローラ対５３、５４との間の距離を小さくすることができ、装置１０の床面積が小さくなる。
【００４０】前記第１排出ローラ対５３と第２排出ローラ対５４との間には、用紙カッティング部としてのカッタユニット２３が設けられている。このカッタユニット２３は、ロータリーカッタ６０と、このカッタ６０との共働により記録紙１８をカットする受け台６１とを有する。カットされた切り屑は、その自重により、カッタユニット２３の下方位置に配置されたごみ箱２４内に落下し回収される。ごみ箱２４は、前述したように、当該ごみ箱１０３を取り外した際にできる穴部からカッタユニット２３まで手が入らないようにするため、記録装置１０のできるだけ下方位置に設けられている。なお、ごみ箱２４の前面などには取っ手として機能する図示しない穴部や凹部が設けられ、作業者は、この取っ手に指を掛けてごみ箱２４をハウジング１１から抜き取り、ごみ箱２４内に堆積した切り屑を除去する。
【００４１】カッタユニット２３には、記録紙先端を検出する先端検出センサＳＥが設置されている。先端検出センサＳＥは、記録紙１８の先端を検出したときにオン信号を発する。先端検出センサＳＥが記録紙１８の先端を検出した時点を基準として、搬送モータＭ６を駆動するパルスが管理され、記録紙先端から所定長さだけ記録紙１８をカットする先端カットと、記録紙後端から所定長さだけ記録紙１８をカットする後端カットとが行われる。センサＳＥとしては、反射型フォトセンサが例示できるが、この場合に限定されるものではなく、透過型フォトセンサより構成しても良い。」
カ　「【００５１】《後端カットの動作》後端カットの動作を説明する。
先端カットが終了すると、所定長さに対応したパルス数だけ搬送モータＭ６を駆動し、第１排出ローラ対５３および第２排出ローラ対５４により記録紙１８を搬送する。その後、ロータリーカッタ６０が作動され、記録紙１８は、その後端から所定長さだけ後端カットされる
【００５２】後端カットが終了した時点では、カラー画像を再現した製品となる記録紙１８は第１排出ローラ対５３で挟持され、カットされた不要な切り屑は第２排出ローラ対５４で挟持されたままの状態となっている。そこで、まず、
搬送モータＭ６を所定パルス数だけ逆回転駆動して第２排出ローラ対５４を逆回転駆動し、切り屑を印字部２０に向けて戻すように搬送する。これにより、切り屑は、第２排出ローラ対５４から離れて落下し、ごみ箱２４内に回収される
【００５３】切り屑の回収が終了すると搬送モータＭ６は所定パルス数だけ正回転駆動され、記録紙１８は、第１排出ローラ対５３により搬送されて、排紙トレイ１７の上に排出される。
【００５４】記録紙１８の先端および後端のカット動作に伴って切り屑がごみ箱２４内に溜まるが、装置の稼働中でも、窓部材７０を通して、排紙トレイ１７の上方からごみ箱２４内部を全域にわたって見渡し、切り屑の量を容易に目視確認できる。」
キ　上記ウ、エ及び図２より、
印字済の記録紙を排出させる第１排出ローラ対及び第２排出ローラ対と、第２排出ローラ対の下流側に設けられ記録紙の先端部と後端部の不要部分を切断して除去するカッタユニットと、第１排出ローラ対及び第２排出ローラ対およびカッタユニットの下方に配置され、記録紙からの切り屑を受けるごみ箱
ク　上記ウ及び図２より、
プラテンローラと第２排出ローラ対との間には、排紙処理の際の記録紙の搬送を案内する上板ガイド部材が設けられていること
　上記ア乃至クの記載から、引用刊行物１には、次の発明（以下「引用発明１」という。）が記載されているものと認められる。　
　
「印字済の記録紙を排出させる第１排出ローラ対及び第２排出ローラ対と、第２排出ローラ対の下流側に設けられ記録紙の先端部と後端部の不要部分を切断して除去するカッタユニットと、第１排出ローラ対及び第２排出ローラ対およびカッタユニットの下方に配置され、記録紙からの切り屑を受けるごみ箱を備えた記録装置であって、
プラテンローラと第２排出ローラ対との間には、排紙処理の際の記録紙の搬送を案内する上板ガイド部材が設けられ、
先端カットが終了すると、所定長さに対応したパルス数だけ搬送モータを駆動し、第１排出ローラ対および第２排出ローラ対により記録紙を搬送し、その後、ロータリーカッタ（カッタユニット）が作動され、記録紙は、その後端から所定長さだけ後端カットされ、搬送モータを所定パルス数だけ逆回転駆動して第２排出ローラ対を逆回転駆動し、切り屑を印字部に向けて戻すように搬送し、これにより、切り屑は、第２排出ローラ対から離れて落下し、ごみ箱内に回収される、記録装置。」　
　
（２）引用刊行物２　
　当審の拒絶の理由に引用し、本願の出願日前である平成１８年９月２８日に頒布された刊行物である特開２００６−２５６１１９号公報（以下「引用刊行物２」という。）には、図面と共に次の事項が記載されている。　
ア　「【技術分野】
【０００１】
　この発明は、用紙に両面印刷可能な両面印刷装置に関するものである。」　
イ　「【発明が解決しようとする課題】
【０００９】
　しかしながら、特許文献１、特許文献２とも、用紙の搬送を一般の搬送ローラだけで行っているために、裏面にカラー印刷を行うときには、用紙の往復搬送時に用紙の搬送ピッチがずれてしまうことがあり、このため高精度なカラー印刷が困難である欠点があった。
【００１０】
　本発明の目的は、高精度な印刷が可能な両面印刷装置を提供することにある。」
ウ　「【００３１】
　次に、用紙１の表裏に印刷するときの装置の動作について説明する。
【００３２】
　図６、図７は、その動作を示すフローチャートであり、図示しない制御部により制御される。図８〜図１５は、動作中の装置内の状態を示す図である。
【００３３】
　図示しないプリントスイッチがオンされると、給紙モードが設定される（ＳＴ１）。こ
の給紙モードでは、ソレノイド４４がオンされ、圧接搬送ローラ５が正転し、リフタ６２が上昇し、プラテン６１が正転する。これにより、図８に示すように、用紙トレイ２から１枚の用紙１が装置内に搬入されていく。
【００３４】
　用紙検出センサ１０により用紙の後端が検出されると（図９参照）、ボビン７１を駆動してインクリボン７を黒（Ｂ）に設定する（ＳＴ３）。
【００３５】
　次に、表面印刷モードに設定する（ＳＴ４）。この表面印刷モードでは、ソレノイド４４がオフされ、圧接搬送ローラ５が逆転し、リフタ６２が下降し、プラテン６１が逆転する。ボビン７１は駆動を維持する。これにより、図１０、図１１に示すように、用紙１は逆方向に搬送されていき、そのとき、印刷部６により黒色のインクリボンによる印刷が行われる。用紙１は、そのまま逆方向に搬送され、用紙反転ガイド４１の外周に巻き付けられるように、ガイド内搬送ローラ４２により略雨滴形状の溝４０に沿って送られていき、用紙１の先端が反転検出センサ４６により検出されると、各ローラの動作が停止し、用紙１の搬送がストップする（ＳＴ５）。図１２はこのときの状態を示す。
【００３６】
　続いて、反転モードが設定される（ＳＴ１０）。この反転モードでは、ソレノイド４４がオフされ、圧接搬送ローラ５が正転し、リフタ６２が上昇し、プラテン６１が正転する。ボビン７１は駆動を維持する。これにより、用紙１は、第２の経路Ｂを通過し、圧接搬送ローラ５により印刷部６へと搬送される。図１３はこのときの状態を示す。
【００３７】
　用紙検出センサ１０により用紙後端が検出されると（ＳＴ１１）、インクリボンを次の色（最初はイエロー（Ｙ）色）に設定し（ＳＴ１２）、裏面印刷モードを設定する（ＳＴ１３）。この裏面印刷モードでは、ソレノイド４４がオフされ、圧接搬送ローラ５が逆転し、リフタ６２が下降し、プラテン６１が逆転する。ボビン７１は駆動を維持する。これにより、用紙１は逆方向に搬送されながら、その裏面は印刷部６によりインクリボンの色に印刷される。また、印刷後は第２の経路Ｂを通過し、圧接搬送ローラ５により用紙反転部４へと搬送される。図１４は、そのときの状態を示している。
【００３８】
　上記裏面印刷モードで印刷を行って用紙先端が印刷部６を通過すると（ＳＴ１４）、用紙１の逆方向への搬送は一端停止する（ＳＴ１５）。このとき、用紙１の先端は圧接搬送ローラ５で圧接されたままである。そして、ＳＴ１６に進み、順方向搬送の制御が行われる。この順方向搬送の制御では、図６の給紙モードのときの制御と同じ制御が行われる。したがって、用紙１は下流方向に搬送されていく。ＳＴ１７で印刷終了でなければ（全ての色についての印刷が終了していなければ）、用紙１の後端が用紙検出センサ１０により検出されるまで順方向搬送を行い（ＳＴ１８）、用紙１の後端が検出されると、ＳＴ１２に戻り、次の色の印刷が上記と同じ制御により行われる。
【００３９】
　なお、ステップＳＴ１４において、用紙１の逆方向への送り量を計数することにより、用紙１の先端が印刷部６を通過するタイミングを容易に検出することができる。その場合、モータ１１（図３参照）の回転軸に回転検出センサを設け、このセンサにより検出するパルス数により上記送り量を計数することが可能である。その他、用紙１の先端を検出するセンサを圧接搬送ローラ５の上流側近傍に設け、このセンサにより用紙１の先端が印刷部６を通過するタイミングを検出することもできる。
【００４０】
　上記ＳＴ１０からＳＴ１８までの制御中は、用紙１は常に圧接搬送ローラ５で圧接されている。したがって、用紙１の往復動作中に、ピッチズレ等が生じることはなく、高精度で用紙１の順方向への搬送、及び逆方向への搬送が行われる。このようにして、イエロー（Ｙ）、マゼンタ（Ｍ）、シアン（Ｃ）の各色に対して印刷を行うと、ＳＴ１７により印刷終了と判定され、用紙１は、排出ローラ８により装置外部に排出される。図１５は、こ
のとき状態を示している。
【００４１】
　以上の動作により、１枚の用紙１に対し、最初はその表面に対して、黒（Ｂ）の印刷が行われ、続いて、裏面に対して、イエロー（Ｙ）、マゼンタ（Ｍ）、シアン（Ｃ）の各色の印刷が行われて装置外部に排出される。したがって、葉書に印刷する場合、他の装置やメモリ媒体から適当な宛て名データとカラー画像データを入力することにより、葉書の表面には黒色で宛て名を印刷し、裏面にカラー画像を印刷して排出することができる。これらの印刷は自動的に行われ、また、相対的に安価な黒色の熱溶融リボンと、相対的に高細精度な印刷が可能なイエロー（Ｙ）、マゼンタ（Ｍ）、シアン（Ｃ）の熱昇華リボンとを使用しているため、全体として安価で美しいカラー画像の葉書印刷を行うことができる。」
エ　上記ウ及び図８乃至図１５より、
一方の面と他方の面に互いに逆方向に両面印刷を施す装置
　上記ア乃至エの記載から、引用刊行物２には、次の技術事項（以下「引用刊行物２記載の技術事項」という。）が記載されているものと認められる。　
　
「一方の面と他方の面に互いに逆方向に両面印刷を施す装置。」　
　
（３）引用刊行物３　
　当審の拒絶の理由に引用し、本願の出願日前である平成１３年２月６日に頒布された刊行物である特開２００１−３１２６３号公報（以下「引用刊行物３」という。）には、図面と共に次の事項が記載されている。
ア　「【０００１】
【発明の属する技術分野】本発明は、プリンタ及び給紙マガジンに関し、更に詳しくは記録紙の切断により発生する切屑を集積することができる給紙マガジン及びプリンタに関する。」
イ　「【０００５】
【発明が解決しようとする課題】しかしながら、上述したように、切屑を集積する屑箱をプリンタ内に独立して設けると、屑箱に切り屑が溜まった頃を見計らってその都度屑箱を開けて切屑を取り出さなければならならず、手間がかかるという問題があった。また、切屑の取りだし自体が忘れられやすく、屑箱に切屑が過剰に堆積したままプリントが行われるという懸念もある。更に、屑箱を独立して設ける場合、屑箱専用のスペースが必要になるためプリンタの外形が大型化し、プリンタの小型化の障害になるという問題があった。
【０００６】本発明は、記録紙を切断した際に生じる切屑を、特別な取り出し作業を必要とせず、定期的に且つ容易にプリンタ内から除去可能な給紙マガジン及びプリンタを提供することを目的とする。」
ウ　「【００１１】図３において、
感熱プリンタ１０の内部には、途中で２方向に枝分かれする記録紙搬送路１５に沿って、給紙ローラ１４、定着ランプ１６、搬送ローラ１７ａ，搬送ローラ１７ｂ、熱記録を行うサーマルヘッド１８とこれに対面するプラテンドラム１９が配置されている。搬送ローラの下流には、感熱記録紙２０の余白を切断するための切断装置２１が設けられている
エ　「【００１４】切断装置２１は、前端切断用カッタ２２と、後端切断用カッタ２３と、一対のスリッタ２４とから構成されている。前端切断用カッタ２２は、記録紙の主走査方向に延びた固定刃２２ａと可動刃２２ｂとから構成されている。そして、可動刃２２ｂが降下して感熱記録紙２０の記録領域よりも前端側の余白である前端余白部を切り落とす。同様に、後端切断用カッタ２３も固定刃２３ａと可動刃２３ｂとから構成され、感熱記録紙２０の記録領域よりも後端側の余白である後端余白部を切り落とす。」
オ　「【００２５】余白の切断では、感熱記録紙２０の前端側切断予定位置が前端切断用カッタ２２に達すると一旦紙送りを停止し、可動刃２２ｂが降下して感熱記録紙２０の記録領域よりも前端側の余白である前端余白部を切り落とす。この後再び紙送りを行ない、感熱記録紙２０の後端側切断予定位置が後端切断用カッタ２３に達すると再び紙送りを停止し、可動刃２３ｂが降下して感熱記録紙２０の記録領域よりも後端側の余白である後端余白部を切り落とす。なお、前端側の切断カッタと後端側の切断カッタとを１つで兼用しても良い。
【００２６】
前端切断用カッタ２２や後端切断用カッタ２３で切り落とされた前端余白部や後端余白部等の切屑４０は、開口２８を通って屑受口２７を介して露出している切屑収納部３２内に落下し堆積する
カ　図１より、
底板と上板とを有する記録紙搬送路１５
搬送ローラ１７ｂと底板との間もしくは、後端切断用カッタ２３と底板との間に切断された後端余白部等の切屑４０が通過する隙間が形成されていること
　上記ア乃至カの記載から、引用刊行物３には、次の発明（以下「引用発明３」という。）が記載されているものと認められる。　
　
「内部には、途中で２方向に枝分かれする底板と上板とを有する記録紙搬送路１５に沿って、給紙ローラ１４、定着ランプ１６、搬送ローラ１７ａ，搬送ローラ１７ｂ、熱記録を行うサーマルヘッド１８とこれに対面するプラテンドラム１９が配置され、搬送ローラの下流には、感熱記録紙２０の余白を切断するための切断装置２１が設けられている、感熱プリンタ１０であって、
搬送ローラ１７ｂと底板との間もしくは、後端切断用カッタ２３と底板との間に切断された後端余白部等の切屑４０が通過する隙間が形成されている、感熱プリンタ１０。」
　
第４　対比　
　そこで、本願発明１と引用発明１とを対比すると、
１．後者の「印字済の記録紙」、「記録紙の先端部と後端部の不要部分」、「切断して除去するカッタユニット」、及び「第１排出ローラ対及び第２排出ローラ対およびカッタユニットの下方に配置され、記録紙からの切り屑を受けるごみ箱」は、それぞれ、前者の「印刷済の枚葉基材」、「枚葉基材の先端部と後端部の余白」、「切断して除去するカッタ」、及び「排出ローラおよびカッタの下方に配置され、枚葉基材からの切断カスを受けるカス受け」に相当する。
２．後者の「印字済の記録紙を排出させる第２排出ローラ」は、その下流側にカッタユニットが設けられているから、前者の「印刷済の枚葉基材を排出させる排出ローラ」に相当する。そうすると、後者の「切断して除去するカッタユニット」は、排出ローラの下流側に設けられ枚葉基材の先端部と後端部の余白を切断して除去するカッタといえる。
３．後者の「記録装置」は、「先端カットが終了すると、所定長さに対応したパルス数だけ搬送モータを駆動し、第１排出ローラ対および第２排出ローラ対により記録紙を搬送し、その後、ロータリーカッタ（カッタユニット）が作動され、記録紙は、その後端から所定長さだけ後端カットされ、搬送モータを所定パルス数だけ逆回転駆動して第２排出ローラ対を逆回転駆動し、切り屑を印字部に向けて戻すように搬送し、これにより、切り屑は、第２排出ローラ対から離れて落下し、ごみ箱内に回収される」ものであるから、第１排出ローラ対及び第２排出ローラ対およびカッタユニットを駆動制御する制御装置を備えていることは明らかであるし、カッタユニットで記録紙の後端をカットするためには、記録紙はカッタユニットから排出方向に位置させなければならず、カッタユニットから見れば外方へ排出することになるから、カッタにより枚葉基材の後端部の余白を切断する際、排出ローラを正転させて枚葉基材を外方へ排出させ、後端部の余白の下流端がカッタに対応する位置にきたとき、排出ローラを停止してカッタを駆動させ後端部の余白を切断して除去し、その後排出ローラを逆転させて後端部の余白をカス受け内に落下させる、といえる。
４．後者の「上板ガイド部材」は、「プラテンローラと第１排出ローラ対及び第２排出ローラ対との間には、排紙処理の際の記録紙の搬送を案内する」ものであるから、排出ローラの上流側に、上板を有する基材搬送路が設けられているといえる。
５．後者の「記録装置」は、「第１排出ローラ対及び第２排出ローラ対」、「カッタユニット」、「ごみ箱」,及び「第１排出ローラ対及び第２排出ローラ対およびカッタユニットを駆動制御する制御装置」を備えるものであるから、前者の「枚葉基材の切断装置」を包含する。
　
　したがって、両者は、　
「印刷済の枚葉基材を排出させる排出ローラと、
　排出ローラの下流側に設けられ枚葉基材の先端部と後端部の余白を切断して除去するカッタと、
　排出ローラおよびカッタの下方に配置され、枚葉基材からの切断カスを受けるカス受けと、
　排出ローラおよびカッタを駆動制御する制御装置とを備え、
　制御装置はカッタにより枚葉基材の後端部の余白を切断する際、排出ローラを正転させて枚葉基材を外方へ排出させ、後端部の余白の下流端がカッタに対応する位置にきたとき、排出ローラを停止してカッタを駆動させ後端部の余白を切断して除去し、その後排出ローラを逆転させて後端部の余白をカス受け内に落下させ、
　排出ローラの上流側に、上板とを有する基材搬送路が設けられている枚葉基材の切断装置。」
の点で一致し、以下の点で相違する。　
　
［相違点１］　
　本願発明１が、「印刷済の枚葉基材には、一方の面と他方の面に互いに逆方向に両面印刷が施され、カッタは一方の面と他方の面に互いに逆方向に施される両面印刷により決定された枚葉基材の先端部の余白および後端部の余白を切断」するものであるのに対して、引用発明１は、そのようなものでない点。　
［相違点２］　
　本願発明１が、「底板と上板とを有する基材搬送路が設けられ、排出ローラと底板との間に切断された後端部の余白が通過する隙間が形成され、上板は底板から更に排出ローラ近傍まで延びている」ものであるのに対して、引用発明１は、「プラテンローラと第２排出ローラ対との間には、排紙処理の際の記録紙の搬送を案内する上板ガイド部材が設けられ」ているものである点。
第５　判断
　上記各相違点について検討する。　
１．［相違点１］について　
　相違点１に係る本願発明１の発明特定事項の「一方の面と他方の面に互いに逆方向に両面印刷が施」すことは、引用刊行物２記載の技術事項に示されているように、当該技術分野において周知の技術手段といえる。
　そして、引用発明１も引用刊行物２記載の技術事項も、記録装置である点で技術分野が共通し、高精度な印刷が可能な印刷装置を提供するという内在する課題を有する点でも共通するものであるから、引用発明１に、引用刊行物２記載の技術事項を適用することは、当業者が容易に想到し得るものである。
　ここで、引用発明１に、引用刊行物２記載の技術事項を適用すれば、引用発明１は、先端カットが終了すると、記録紙の後端から所定長さだけ後端カットする記録装置であるから、必然的に、カッタは一方の面と他方の面に互いに逆方向に施される両面印刷により決定された枚葉基材の先端部の余白および後端部の余白を切断するものとなる。
　そうすると、引用発明１において、引用刊行物２記載の技術事項を適用することにより、上記相違点１に係る本願発明１の発明特定事項とすることは、当業者が容易に想到し得るものである。
２．［相違点２］について　
　引用発明３の「底板と上板とを有する記録紙搬送路１５」、「搬送ローラ１７ｂ」、「切断された後端余白部」、及び「隙間」は、それぞれ、本願発明１の「底板と上板とを有する基材搬送路」、「排出ローラ」、「切断された後端部の余白」、及び「隙間」に相当する。
　そうすると、引用発明３には、上記相違点２に係る本願発明１の「底板と上板とを有する基材搬送路が設けられ、底板との間に切断された後端部の余白が通過する隙間が形成され」ている点が記載されている。
　そして、引用発明１も引用発明３も、記録装置である点で技術分野が共通し、画像再現後の記録紙の不要部分をカットする機能を備えた記録装置であって、コンパクトな記録装置を提供するという課題を有する点でも共通するものであるから、引用発明１に、引用発明３を適用することは、当業者が容易に想到し得るものである。
　ここで、引用発明１は、「プラテンローラと第２排出ローラ対との間には、排紙処理の際の記録紙の搬送を案内する上板ガイド部材が設けられ、先端カットが終了すると、所定長さに対応したパルス数だけ搬送モータを駆動し、第１排出ローラ対および第２排出ローラ対により記録紙を搬送し、その後、ロータリーカッタ（カッタユニット）が作動され、記録紙は、その後端から所定長さだけ後端カットされ、搬送モータを所定パルス数だけ逆回転駆動して第２排出ローラ対を逆回転駆動し、切り屑を印字部に向けて戻すように搬送し、これにより、切り屑は、第２排出ローラ対から離れて落下し、ごみ箱内に回収される」ものであるから、引用発明１に、引用発明３を適用すれば、上板ガイド部材と底板とで基材搬送経路が形成されることとなり、必然的に、切断された後端部の余白は、第２排出ローラ対から離れて落下する、すなわち、排出ローラと底板の間の隙間を通過することとなる。そして、本願明細書をみても、本願発明において、「上板は底板から更に排出ローラ近傍まで延びていること」とした点に格別な作用効果は認められないから、相違点２に係る本願発明１の「上板は底板から更に排出ローラ近傍まで延びていること」とすることは、当業者が適宜なし得る設計的事項である。
　そうすると、引用発明１において、引用発明３を適用することにより、上記相違点２に係る本願発明１の発明特定事項とすることは、当業者が容易に想到し得るものである。
　そして、本願発明１の発明特定事項によって奏される効果も、引用発明１、引用刊行物２記載の技術事項及び引用発明３から、当業者が予測しうる範囲内のものである。
　よって、本願発明１は、引用発明１、引用刊行物２記載の技術事項及び引用発明３に基づいて、当業者が容易に発明をすることができたものであるから、特許法第２９条第２項の規定により特許を受けることが出来ない。
第６　むすび
　以上のとおりであるから、本願発明１は、引用発明１、引用刊行物２記載の技術事項及び引用発明３に基づいて、当業者が容易に発明をすることができたものであるから、特許法第２９条第２項の規定により特許を受けることができないから、本願の他の請求項に係る発明について検討するまでもなく、本願は拒絶すべきものである。
　よって、結論のとおり審決する。